Podtech/llm-jp-corpus-v4-ja_patent huggingface dataset:
【手続補正書】
【提出日】平成24年6月1日(2012.6.1)
【手続補正１】
【補正対象書類名】特許請求の範囲
【補正対象項目名】全文
【補正方法】変更
【補正の内容】
【特許請求の範囲】
【請求項１】
事前決定された量のＶＥＧＦ、ＦＧＦ−２、及びＩＧＦ−１を含む、細胞不含脂肪組織抽出物。
【請求項２】
総タンパク質１ｍｇ当たりの前記増殖因子含量が、少なくとも１ｐｇのＶＥＧＦ、少なくとも７０ｐｇのＦＧＦ−２、及び少なくとも５０ｐｇのＩＧＦ−１である、請求項１に記載の抽出物。
【請求項３】
総タンパク質１ｍｇ当たりの前記ＶＥＧＦ含量が、少なくとも７ｐｇである請求項２に記載の抽出物。
【請求項４】
アンジオジェニン、アディポネクチン、ＴＩＭＰ−１及びＴＩＭＰ−２、ＭＩＦ、ＩＧＦＢＰ−６、ＮＡＰ−２、レプチン、ＰＤＧＦ−ＢＢ、並びにＧＲＯを更に含む、請求項２に記載の抽出物。
【請求項５】
アンジオジェニン、ＩＬ−５、ＩＬ−６、ＩＬ−８、ＣＣＬ５、ＮＡＰ−２、ＭＣＰ−１、アディポネクチン、ＧＲＯ、ＴＩＭＰ−１、ＴＩＭＰ−２を更に含む、請求項２又は３に記載の抽出物。
【請求項６】
軟組織の修復又は工学的操作で、創傷治癒で、火傷治療で又は虚血状態の治療で用いられる、請求項１から５までのいずれか一項に記載の抽出物。
【請求項７】
請求項１から５までのいずれか一項に記載の細胞不含脂肪組織抽出物、及び生体適合性マトリクスを含むインプラント。
【請求項８】
前記生体適合性マトリクスがヒドロゲルである、請求項７に記載のインプラント。
【請求項９】
前記ヒドロゲルがヒアルロン酸、キトサン、フィブリン、コラーゲン、アルギン酸塩、ポリ乳酸ベースのポリエステル、ポリ乳酸グリコール酸、ポリカプロラクトン、及びこれらの混合物からなる群から選択される、請求項８に記載のインプラント。
【請求項１０】
注射可能である、請求項７から９までのいずれか一項に記載のインプラント。
【請求項１１】
前記抽出物が同系異種である、請求項７から１０までのいずれか一項に記載のインプラント。
【請求項１２】
軟組織の修復又は工学的操作で、創傷治癒で、火傷治療で又は虚血状態の治療で用いられる、請求項７から１１までのいずれか一項に記載のインプラント。
【請求項１３】
事前に決定された量のＶＥＧＦ、ＦＧＦ−２、及びＩＧＦ−１を含む、細胞不含脂肪組織抽出物を調製する方法であって、
ａ）生存細胞を含むホモジナイズされていない脂肪組織サンプルを提供するステップ、
ｂ）前記サンプルを事前に決定された時間インキュベートするステップ、及び
ｃ）前記抽出物を収集するステップ
を含む前記方法。
【請求項１４】
請求項１３に記載の方法によって取得可能な細胞不含脂肪組織抽出物。
【請求項１５】
前記脂肪組織抽出物を前記生体適合材料と混合する、又は前記脂肪組織抽出物を前記生体適合材料に吸収させるステップを含む、請求項７から１１までのいずれか一項に記載のインプラントを調製する方法。
【請求項１６】
請求項７から１１までのいずれか一項に記載のインプラントを主成分として含有する、脂肪形成を誘発するための医薬組成物。
【請求項１７】
請求項７から１１までのいずれか一項に記載のインプラントを主成分として含有する、血管形成を誘発するための医薬組成物。
【手続補正書】
【提出日】平成24年9月4日(2012.9.4)
【手続補正１】
【補正対象書類名】特許請求の範囲
【補正対象項目名】全文
【補正方法】変更
【補正の内容】
【特許請求の範囲】
【請求項１】
下記式Ａを有する化合物、またはこの塩、水和物もしくはプロドラッグ：
【化１】
2012502014.tif 000001
ただし、Ｒは、フェニル、３−フルオロフェニル、２，４−ジフルオロフェニル、３，５−ジフルオロフェニル、置換されてもよいテトラヒドロピラン、置換されてもよいジアジンまたは置換されてもよいトリアゾールであり；
Ｒ’は、置換されてもよいフェニルまたは置換されてもよいトリアゾールであり；
この際、Ｒがフェニルである場合には、Ｒ’は、置換されてもよいトリアゾールである。
【請求項２】
前記置換されてもよいフェニル、置換されてもよいテトラヒドロピランおよび／または置換されてもよいジアジンは、１以上の電子求引基で置換される、請求項１に記載の化合物。
【請求項３】
前記電子求引基は、フッ素である、請求項２に記載の化合物。
【請求項４】
前記置換されてもよいトリアゾールは、置換されたアルキル基で置換される、請求項１〜３のいずれか１項に記載の化合物。
【請求項５】
前記置換されたアルキル基はＣ１−４のフルオロアルキルである、請求項４に記載の化合物。
【請求項６】
前記Ｃ１−４のフルオロアルキルは２−フルオロエチルである、請求項５に記載の化合物。
【請求項７】
前記ＲおよびＲ’は下記に定義される、請求項１〜６のいずれか１項に記載の化合物。
【表１−１】
2012502014.tif 000002
【表１−２】
2012502014.tif 000003
【表１−３】
2012502014.tif 000004
【請求項８】
Ｒは、３−フルオロフェニル、２，４−ジフルオロフェニルおよび３，５−ジフルオロフェニルを含む群より選択され、Ｒ’は、２−フルオロエチルで置換されたトリアゾールである、請求項１〜７のいずれか１項に記載の化合物。
【請求項９】
さらに画像化部分(imaging moiety)を有する、請求項１〜８のいずれか１項に記載の化合物。
【請求項１０】
前記画像化部分(imaging moiety)は放射性標識である、請求項９に記載の化合物。
【請求項１１】
前記放射性標識は１８Ｆである、請求項１０に記載の化合物。
【請求項１２】
下記式[１８Ｆ]１１を有する、請求項１１に記載の化合物。
【化２】
2012502014.tif 000005
【請求項１３】
下記式３５を有する、請求項１０に記載の化合物。
【化３】
2012502014.tif 000006
【請求項１４】
下記式３６を有する、請求項１０に記載の化合物。
【化４】
2012502014.tif 000007
【請求項１５】
請求項１〜８のいずれか１項に記載の化合物および１以上の別の活性成分、製薬上許容できる賦形剤、担体または希釈剤を含む、薬剤組成物。
【請求項１６】
請求項９〜１４のいずれか１項に記載の化合物および１以上の別の活性成分、製薬上許容できる賦形剤、担体または希釈剤を含む、薬剤組成物。
【請求項１７】
分子画像化剤として使用されるための、請求項９〜１４のいずれか１項に記載の化合物または請求項１６に記載の薬剤組成物。
【請求項１８】
前記分子画像化剤がカスパーゼ活性の可視化および定量化を目的とする、請求項１７に記載の化合物または薬剤組成物。
【請求項１９】
ａ）ヒト以外の哺乳動物の細胞または組織を請求項９〜１４のいずれか１項に記載の化合物または請求項１６に記載の薬剤組成物と接触させ；
ｂ）前記哺乳動物の細胞または組織を検出装置の検出域に置き；
ｃ）前記被検者における前記化合物を前記検出装置で検出し；さらに
ｄ）段階ａ）、ｂ）およびｃ）を繰り返す、
ことを有する、哺乳動物の細胞または組織におけるカスパーゼ活性への試験物質の治療効果の評価方法。
【請求項２０】
カスパーゼ活性の阻害に使用される、請求項１〜８のいずれか１項に記載の化合物または請求項１５に記載の組成物。
【請求項２１】
過剰なまたは不適切なアポトーシスによって引き起こされるまたは前記アポトーシスと関連のある疾患または障害の診断に使用される、請求項９〜１４のいずれか１項に記載の化合物または請求項１６に記載の組成物。
【請求項２２】
下記式３８（ただし、ｎ＝０〜６）を有する化合物。
【化５】
2012502014.tif 000008
【請求項２３】
下記式４３（ただし、ｎ＝０〜６およびｘ＝脱離基）を有する化合物。
【化６】
2012502014.tif 000009
【請求項２４】
請求項２２または２３に記載の化合物を使用することを有する請求項１２に記載の化合物の製造方法。
【手続補正書】
【提出日】平成24年8月29日(2012.8.29)
【手続補正１】
【補正対象書類名】特許請求の範囲
【補正対象項目名】全文
【補正方法】変更
【補正の内容】
【特許請求の範囲】
【請求項１】
単位用量形態の医薬組成物の製造におけるナプロキセンまたはその薬学的に受容可能な塩、およびエソメプラゾールまたはその薬学的に受容可能な塩の使用であって、ここで、該エソメプラゾールまたはその薬学的に受容可能な塩は０又はそれより大きいｐＨで該単位用量形態から放出され、ここで、
ｉ）ナプロキセンについての薬物動態（ｐｋ）プロファイル：
ａ）ナプロキセンのＡＭ用量についてのＣmaxの平均値が８６.２μｇ／ｍＬ±２０％であり、Ｔmaxの中央値が３.０時間±２０％であり；そして
ｂ）ＰＭ用量についてのＣmaxの平均値が７６.８μｇ／ｍＬ±２０％であり、そしてＴmaxの中央値が１０時間±２０％であり；そして
ii）エソメプラゾールについての薬物動態（ｐｋ）プロファイル：
ａ）エソメプラゾールのＡＭ用量について、ＡＭ用量が投与される時間０からＡＭ用量が投与された１０時間±２０％後までの平均血漿中濃度時間曲線下面積（ＡＵＣ0-10,am
）が１２１６ｈｒ*μｇ／ｍＬ±２０％であり、そして
ｂ）エソメプラゾールのＰＭ用量について、ＰＭ用量が投与される時間０からＰＭ用量が投与された１４時間±２０％後までの平均血漿中濃度時間曲線下面積（ＡＵＣ0-14,pm
）が９１９ｈｒ*μｇ／ｍＬ±２０％であり：そして
ｃ）エソメプラゾールについて、第一の用量が投与される時間０から第一の用量が投与された２４時間±２０％後までの平均血漿中濃度時間曲線下面積（ＡＵＣ0-24）が２０００ｈｒ*μｇ／ｍＬ±２０％である薬物動態（ｐｋ）プロファイルをさらに標的とし；そして
ここで、単位用量形態の医薬組成物が、５００ｍｇ±２０％のナプロキセンおよび２０ｍｇ±２０％のエソメプラゾールを含む：
を標的とするため、第一の単位用量形態がＡＭ用量として投与され、そして第二の単位用量形態がＰＭ用量として１０時間±２０％後に投与される、上記使用。
【請求項２】
医薬組成物が、少なくとも約４１％の、定常状態に達した後、約２４時間、胃内ｐＨが約４.０以上のままである平均％時間をさらに標的とする、請求項１に記載の使用。
【請求項３】
定常状態に達した後、約２４時間、胃内ｐＨが約４.０以上のままである平均％時間が少なくとも約６０％である、請求項２に記載の使用。
【請求項４】
定常状態に達した後、約２４時間、胃内ｐＨが約４.０以上のままである平均％時間が少なくとも約７１％である、請求項２に記載の使用。
【請求項５】
定常状態に達した後、約２４時間、胃内ｐＨが約４.０以上のままである平均％時間が少なくとも約７７％である、請求項９に記載の使用。
【請求項６】
単位用量形態が少なくとも約６日間投与される、請求項１〜５のいずれか１項に記載の使用。
【請求項７】
単位用量形態が少なくとも約９日間投与される、請求項１〜６のいずれか１項に記載の使用。
【請求項８】
必要がある患者が、疼痛および炎症から選択される疾患または障害の治療を受けている、請求項１〜７のいずれか１項に記載の使用。
【請求項９】
必要がある患者が、変形性関節症、関節リウマチ、強直性脊椎炎、またはそれらの併発の治療を受けている、請求項１〜７のいずれか１項に記載の使用。
【請求項１０】
単位用量形態が、少なくとも１種のコアならびに少なくとも第一の層および第二の層を含む多層錠であり、ここで：
ｉ）該コアは、ナプロキセン、またはそれらの薬学的に受容可能な塩を含み；
ii）該第一の層は、周囲媒質のｐＨが約３.５以上である場合に、ナプロキセン、またはそれらの薬学的に受容可能な塩を少なくとも放出し始めるコーティングであり；そして
iii）該第二の層は、エソメプラゾールを含み、ここで、該エソメプラゾールは約０以上のｐＨで放出される、請求項１〜９のいずれか１項に記載の使用。
【請求項１１】
エソメプラゾールが約０〜約２のｐＨで放出される、請求項１０に記載の使用。
【請求項１２】
多層錠が、重炭酸ナトリウムを実質的に含まない、請求項１０または１１に記載の使用。
【手続補正書】
【提出日】平成24年8月30日(2012.8.30)
【手続補正１】
【補正対象書類名】特許請求の範囲
【補正対象項目名】全文
【補正方法】変更
【補正の内容】
【特許請求の範囲】
【請求項１】
ヒト皮膚の美的外観を向上させるのに有効な量のポリヒドロキシル化脂肪アルコールと、化粧用に許容される担体とを含む局所用化粧品組成物であって、
前記ポリヒドロキシル化脂肪アルコールがＣ１３〜Ｃ２５炭素の骨格と少なくとも１つの不飽和炭素結合とを含むことと、
前記骨格が、Ｃｌ、Ｃ２、およびＣ４の１つまたは複数に存在するヒドロキシル基を含み、このヒドロキシル基のうち１つが酸化型であってもよいことと、
前記少なくとも１つの不飽和炭素結合が、前記骨格の最後の２つの炭素間に存在することと、
前記組成物が、フラン脂質を実質的に含んでいないことと
を特徴とする組成物。
【請求項２】
紫外線に曝露された後のヒト皮膚の美的外観を向上させるための方法であって、
前記皮膚に、化粧的有効量のポリヒドロキシル化脂肪アルコールを化粧用に許容される担体中に含む組成物を適用することを含むことと、
前記ポリヒドロキシル化脂肪アルコールがＣ１３〜Ｃ２５炭素の骨格と少なくとも１つの不飽和炭素結合とを含むことと、
前記骨格が、Ｃｌ、Ｃ２、またはＣ４の１つまたは複数に存在するヒドロキシル基を含むことと、
前記少なくとも１つの不飽和炭素結合が、前記骨格の最後の２つの炭素間に存在することと、
前記組成物が、フラン脂質を実質的に含んでいないことと
を特徴とする方法。
【請求項３】
前記ポリヒドロキシル化脂肪アルコールが、単離された天然ポリヒドロキシル化脂肪アルコールである、請求項１に記載の組成物。
【請求項４】
前記単離された天然ポリヒドロキシル化脂肪アルコールが、果実または植物供給源から単離される、請求項３に記載の組成物。
【請求項５】
前記果実または植物供給源が、アボカド果実およびアボカド種子からなる群から選択される、請求項４に記載の組成物。
【請求項６】
前記天然ポリヒドロキシル化脂肪アルコールの誘導体が、アセチル化誘導体を含む、請求項１に記載の組成物。
【請求項７】
前記ポリヒドロキシル化脂肪アルコールが、実質的に純粋な形態で単離されている、請求項６に記載の組成物。
【請求項８】
前記ポリヒドロキシル化脂肪アルコールが、合成的に調製される、請求項１に記載の組成物。
【請求項９】
前記ポリヒドロキシル化脂肪アルコールが、前記単離された物質の８０％〜９５％重量／重量の純度で存在する、請求項１に記載の組成物。
【請求項１０】
前記ポリヒドロキシル化脂肪アルコールが、前記全組成物の０．００１％〜２０％重量／重量の濃度で存在する、請求項１に記載の組成物。
【請求項１１】
前記ポリヒドロキシル化脂肪アルコールまたはその組合せが、１−アセトキシ−２，４−ジヒドロキシ−１６−ヘプタデセン、またはｌ，２−ジヒドロキシ−４−アセトキシ−１６−ヘプタデセン、１−アセトキシ−２，４−ジヒドロキシ−１６−ヘプタデシン、またはｌ，２−ジヒドロキシ−４−アセトキシ−１６−ヘプタデシンからなる群から選択される、請求項１に記載の組成物。
【請求項１２】
前記組成物が、麻酔剤；抗アレルギー剤；抗菌剤；抗真菌剤；防腐剤；キレート剤；着色剤；脱色剤；皮膚軟化剤；剥脱剤；芳香剤；乳化剤；湿潤剤；虫よけ剤；潤滑剤；保湿剤；保存剤；皮膚浸透促進剤；安定化剤；日焼け止め；界面活性剤；増粘剤；粘性調整剤；およびビタミンからなる群から選択される追加的な化合物を含む、請求項１に記載の組成物。
【請求項１３】
前記組成物が、エアロゾル、固塊、クリーム、軟膏、乳剤、精油、フォーム、ゲル、ローション、ムース、ペースト、パッチ、筆、美容液、液剤、濡れナプキン、マスク、ボディラップ、スプレー、およびスティックからなる群から選択される形態である、請求項１に記載の組成物。
【請求項１４】
前記乳剤が、３０％〜８０％重量／重量の油相を含む水中油型乳剤である、請求項１３に記載の組成物。
【請求項１５】
前記油相が、天然植物油、多価不飽和脂肪酸、ビタミンＡ、Ｅ、およびＦ、アスコルビン酸パルミテート、酸化防止剤、ならびに他の好適な成分、またはそれらの混合物からなる群から選択される、請求項１４に記載の組成物。
【請求項１６】
前記組成物の適用によって、ヒト皮膚に対するＵＶ損傷の外部徴候を低減すること、またはヒト皮膚に対するＵＶ損傷を予防することをさらに含む、請求項２に記載の方法。
【請求項１７】
前記組成物の適用によって、ヒト皮膚におけるＵＶ誘導性老化の外部徴候を低減すること、またはヒト皮膚におけるＵＶ誘導性老化の外部徴候を予防することをさらに含む、請求項２に記載の方法。
【請求項１８】
前記老化の外部徴候が色素斑の外観を含む、請求項１７に記載の方法。
【請求項１９】
前記色素斑が、そばかす、黒皮症、および日光黒子からなる群から選択される、請求項１８に記載の方法。
【請求項２０】
前記ＵＶ誘導性老化の外部徴候が、損傷を受けやすい皮膚、皮膚のたるみ、微細線、しわ、皮膚の菲薄化、皮膚光沢の欠如、皮膚の疲労、および皮膚の乾燥からなる群から選択される、請求項１９に記載の方法。
【手続補正書】
【提出日】平成24年8月2日(2012.8.2)
【手続補正１】
【補正対象書類名】特許請求の範囲
【補正対象項目名】全文
【補正方法】変更
【補正の内容】
【特許請求の範囲】
【請求項１】
（ａ）約１重量％〜約８０重量％の活性成分；
（ｂ）ゼイン水性分散液からの約１重量％〜約２０重量％のゼイン；
（ｃ）約１重量％〜約７０重量％のろう様物質；及び
（ｄ）約１０重量％〜約５０重量％の微結晶性セルロース、アルファ化デンプン、又は微結晶性セルロースとアルファ化デンプンとの混合物を含むチュアブルな徐放性組成物であって、
（ｉ）組成物が、多微粒子又は錠剤の形態であり、（ｉｉ）組成物が、２時間後に放出される活性成分が多くとも約９０％である標準ＵＳＰバスケット法により測定されるインビトロでの活性成分溶出速度を有し、且つ（ｉｉｉ）インビトロでの活性成分溶出速度が、錠剤又は多微粒子上に徐放性バリアコーティングの存在を必要としない、前記組成物。
【請求項２】
組成物が：
４時間後に放出される活性成分が約１０％〜約６０％；
８時間後に放出される活性成分が約２５％〜約７５％；及び
１２時間後に放出される活性成分が約３０％〜約９０％
である標準ＵＳＰバスケット法により測定されるインビトロでの活性成分溶出速度を有する、請求項１に記載の組成物。
【請求項３】
錠剤又は多微粒子が４断片に壊されるとき、組成物が：
４時間後に放出される活性成分が約１０％〜約６０％；
８時間後に放出される活性成分が約２５％〜約７５％；及び
１２時間後に放出される活性成分が約３０％〜約９０％
である標準ＵＳＰバスケット法により測定されるインビトロでの活性成分溶出速度を維持する、請求項２に記載の組成物。
【請求項４】
ろう様物質が水素化植物油又はカルナウバろうである、請求項１又は２に記載の組成物。
【請求項５】
（ａ）約３重量％〜約２５重量％の活性成分；
（ｂ）ゼイン水性分散液からの約１重量％〜約１５重量％のゼイン；
（ｃ）約５重量％〜約５５重量％のろう様物質；及び
（ｄ）約１５重量％〜約４５重量％の微結晶性セルロース、アルファ化デンプン、又は微結晶性セルロースとアルファ化デンプンとの混合物
を含む、請求項１〜４のいずれか一項に記載の組成物。
【請求項６】
活性成分が１２時間未満の半減期を有する医薬である、請求項１〜５のいずれか一項に記載の組成物。
【請求項７】
活性成分がフェニルプロパノールアミン塩酸塩；グルコサミンＨＣｌ；マルチビタミン及びミネラル；及びトラマドールＨＣｌからなる群から選択される、請求項１〜６のいずれか一項に記載の組成物。
【請求項８】
錠剤又は多微粒子がコーティングされる、請求項１〜７のいずれか一項に記載の組成物。
【請求項９】
錠剤又は多微粒子が水素化植物油又はカルナウバろうを含むコーティング組成物でコーティングされる、請求項８に記載の組成物。
【請求項１０】
多くとも約５％の活性成分が標準ＵＳＰバスケット法により測定される最初の１〜５分間で放出される、請求項１〜９のいずれか一項に記載の組成物。
【請求項１１】
更に、１以上の不活性成分を含む、請求項１〜１０のいずれか一項に記載の組成物。
【請求項１２】
請求項１〜１１のいずれか一項に記載のチュアブルな徐放性組成物を含む投薬形態。
【請求項１３】
請求項１〜１２のいずれか一項に記載のチュアブルな徐放性多微粒子組成物を製造する方法であって、
（ａ）活性成分をゼイン水性分散液からのゼインと混合して、コアを形成する工程、
（ｂ）工程（ａ）のコアをろう様物質、微結晶性セルロース、場合によりアルファ化デンプン、及び液体と混合する工程、
（ｃ）工程（ｂ）の混合物を粒状にし、又は押し出して、顆粒剤又は押出物を得る工程、（ｄ）顆粒剤又は押出物を乾燥する工程、
（ｅ）工程（ｄ）の乾燥顆粒剤又は押出物をろう様物質の融点を超える温度に加熱する工程、並びに
（ｆ）工程（ｅ）の顆粒剤を分粒し、又は工程（ｅ）の押出物を断片化して、非球形ペレット剤を形成する工程
を含む、前記方法。
【請求項１４】
請求項１〜１２のいずれか一項に記載のチュアブルな徐放性多微粒子組成物を製造する方法であって、
（ａ）活性成分をゼイン水性分散液からのゼインと混合して、コアを形成する工程、
（ｂ）工程（ａ）のコアをろう様物質、微結晶性セルロース、場合によりアルファ化デンプン、及び液体と混合する工程、
（ｃ）工程（ｂ）の混合物を押し出して、押出物を得る工程、
（ｄ）押出物を球形にして、球形ペレット剤を形成する工程、
（ｅ）球形ペレット剤を乾燥する工程、並びに
（ｆ）工程（ｅ）の球形ペレット剤をろう様物質の融点を超える温度に加熱する工程
を含む、前記方法。
【請求項１５】
更に、粒状物、非球形ペレット剤又は球形ペレット剤を、ろう様物質を含むコーティング組成物でコーティングする工程を含む、請求項１３又は１４に記載の方法。
【請求項１６】
更に、
（ｇ）粒状物、非球形ペレット剤又は球形ペレット剤を１以上の不活性成分と混合する工程、及び
（ｈ）工程（ｇ）の混合物を圧縮して、錠剤とする工程
を含む、請求項１３又は１４に記載の方法。
【請求項１７】
更に、錠剤を、ろう様物質を含むコーティング組成物でコーティングする工程を含む、請求項１６に記載の方法。
【請求項１８】
治療方法に使用するための請求項１〜１２のいずれか一項に記載の活性成分を含むチュアブルな徐放性組成物であって、前記治療方法が、
前記活性成分がフェニルプロパノールアミン塩酸塩である、動物の失禁又はうっ血を治療するか、あるいは動物の食欲を抑制する方法、
前記活性成分がトラマドール又は薬学的に許容可能な塩である、痛みを軽減する方法、及び
前記組成物がグルコサミン塩酸塩、コンドロイチン硫酸塩、ビタミン、ミネラル、又はその混合物を含む、患者の慢性疾患又は食事性欠乏症を治療又は予防する方法、
からなる群から選択される、前記組成物。
【手続補正２】
【補正対象書類名】図面
【補正対象項目名】全図
【補正方法】変更
【補正の内容】
【図１】
2012502061.tif 000001
【図２】
2012502061.tif 000002
【図３】
2012502061.tif 000003
【図４】
2012502061.tif 000004
【図５】
2012502061.tif 000005
【図６】
2012502061.tif 000006
【図７】
2012502061.tif 000007
【図８】
2012502061.tif 000008
【図９】
2012502061.tif 000009
【図１０】
2012502061.tif 000010
【図１１】
2012502061.tif 000011
【図１２】
2012502061.tif 000012
【図１３】
2012502061.tif 000013
【図１４】
2012502061.tif 000014
【図１５】
2012502061.tif 000015
【手続補正書】
【提出日】平成24年4月23日(2012.4.23)
【手続補正１】
【補正対象書類名】特許請求の範囲
【補正対象項目名】全文
【補正方法】変更
【補正の内容】
【特許請求の範囲】
【請求項１】
Ｎ−［４−（１−シアノシクロペンチル）フェニル］−２−（４−ピリジルメチル）アミノ−３−ピリジンカルボキサミドのメシル酸塩又は塩酸塩。
【請求項２】
請求項１に記載の塩の治療的な有効量、及び１以上の薬学的に許容される担体を含む医薬組成物。
【請求項３】
抗腫瘍薬である請求項２に記載の医薬組成物。
【請求項４】
メシル酸または塩酸を用いて、Ｎ−［４−（１−シアノシクロペンチル）フェニル］−２−（４−ピリジルメチル）アミノ−３−ピリジンカルボキサミドのメシル酸塩又は塩酸塩を形成する工程を含む、請求項１に記載の塩の製造方法。
【手続補正書】
【提出日】平成24年7月20日(2012.7.20)
【手続補正１】
【補正対象書類名】特許請求の範囲
【補正対象項目名】全文
【補正方法】変更
【補正の内容】
【特許請求の範囲】
【請求項１】
プレートパレット上に置かれた最上部の印刷プレートのアライメントミスを検出するシステムであって、前記印刷プレートはプレートエッジを示し、アライメントは所定の座標に照らして検出されるシステムであり：
光ビームが前記最上部のプレートの一部、前記プレートパレットの特定のエッジ及び一部を覆う光スポットを示すように、選択された所定の空間的角度にある複数のプレートエッジの少なくとも１つの特定のプレートエッジに前記光ビームを方向付けるように備えられた照明源；
前記光スポットを走査し、前記光スポットの画像を生成するように備えられたスキャナ；並びに
前記走査された光スポットの画像の特徴と、正確にアライメントされた最上部の印刷プレートのプレートエッジを覆う光スポットに関する所定の特徴と、の間の差異を分析することにより、前記最上部の印刷プレートの前記アライメントミスを検出するように備えられた分析器；
を有するシステム。
【請求項２】
請求項１に記載のシステムであって、前記分析器は、前記走査された光スポットの特定の画像を対応するシグネチャに変換するように更に備えられ、前記走査された光スポットの前記特定の画像の前記シグネチャを所定の複数のシグネチャと比較することにより、前記の最上部の印刷プレートのアライメントミスの検出は行われ、前記所定の複数のシグネチャの各々は特定の座標を示す特定の印刷プレートのアライメントミスと関連付けられる、システム。
【請求項３】
請求項１に記載のシステムであって、前記走査された光スポットは、前記最上部の印刷プレートの前記アライメントミスに従った光強度の変動を示し、前記分析器は、前記走査された光スポットにおける前記光強度の前記変動に照らして前記最上部の印刷プレートのアライメントミスを検出するように更に備えられた、システム。
【手続補正書】
【提出日】平成24年7月20日(2012.7.20)
【手続補正１】
【補正対象書類名】特許請求の範囲
【補正対象項目名】全文
【補正方法】変更
【補正の内容】
【特許請求の範囲】
【請求項１】
板ガラス中間膜（glazing
interlayer）であって、
第１の高分子融解物及び第２の高分子融解物の同時押し出し成形により形成される高分子膜；及び
前記高分子膜中に分布する赤外線吸収剤を含み；
前記高分子膜中における前記赤外線吸収剤の分布が、１０％超の不均一性の度合いを有し；
前記高分子膜の第１の部位が、前記第１の高分子融解物から形成され、かつ８８０ナノメートルにおける赤外線放射の少なくとも１５％を伝送することができ；及び
前記高分子膜中の第２の部位が、前記第２の高分子融解物から形成され、かつ８８０ナノメートルにおける赤外線放射の１０％未満を伝送することができる、板ガラス中間膜。
【請求項２】
前記第１の部位が、前記第２の部位の側に配置されている、請求項１に記載の中間膜。
【請求項３】
前記第１の部位が、グラジエント部位（gradient
region）である、請求項２に記載の中間膜。
【請求項４】
前記第１の高分子融解物が、前記第２の高分子融解物に挿入されたプローブを通して同時押し出し成形される、請求項１に記載の中間膜。
【請求項５】
前記第１の高分子融解物が、間欠パルスを使って押し出し成形される、請求項４に記載の中間膜。
【請求項６】
前記第１の部位が、前記第２の部位の中に配置される、請求項１に記載の中間膜。
【請求項７】
前記赤外線吸収剤がLaB6を含む、請求項１に記載の中間膜。
【請求項８】
前記赤外線吸収剤が酸化セシウムタングステンを含む、請求項１に記載の中間膜。
【請求項９】
前記不均一性の度合いが３０％超である、請求項１に記載の中間膜。
【請求項１０】
前記第１の部位が、８８０ナノメートルにおける赤外線放射の少なくとも７２％を伝送することできる、請求項１に記載の中間膜。
【請求項１１】
さらに高分子フィルムを含む、請求項１に記載の中間膜。
【請求項１２】
前記高分子フィルムが、さらに前記高分子フィルム中に分布する赤外線吸収剤を含み、前記高分子フィルムの至る所における前記赤外線吸収剤の前記分布が、１０％超の不均一性の度合いを有する、請求項１１に記載の中間膜。
【請求項１３】
前記第１の高分子融解物が、赤外線吸収剤を含まない、請求項１に記載の中間膜。
【請求項１４】
複合膜ガラスパネル（multiple layer
glazing panel）であって、
ガラスパネル；
第１の高分子融解物及び第２の高分子融解物の同時押し出し成形により成形された高分子膜；及び
前記高分子膜中に分布する赤外線吸収膜を含み、
前記高分子フィルムの至る所における前記赤外線吸収剤の前記分布が、１０％超の不均一性の度合いを有し；
前記高分子膜の第１の部位が、前記第１の高分子融解物から形成され、かつ８８０ナノメートルにおける赤外線放射の少なくとも１５％を伝送することができ；
前記高分子膜の第２の部位が、前記第２の高分子融解物から形成され、かつ８８０ナノメートルにおける赤外線放射の１０％未満を伝送することができ；及び
前記高分子膜が、前記ガラスパネル上にラミネートされている、パネル。
【請求項１５】
前記赤外線吸収剤がLaB6を含む、請求項１４に記載のパネル。
【請求項１６】
前記赤外線吸収剤が酸化セシウムタングステンを含む、請求項１４に記載のパネル。
【請求項１７】
前記不均一性の度合いが３０％超である、請求項１４に記載のパネル。
【請求項１８】
前記第１の部位が、８８０ナノメートルにおける赤外線放射の少なくとも７２％を伝送することできる、請求項１４に記載のパネル。
【請求項１９】
さらに高分子フィルムを含む、請求項１４に記載のパネル。
【請求項２０】
さらに第２のガラスパネルを含む、請求項１４に記載のパネル。
【請求項２１】
さらに第２の高分子膜を含む、請求項１４に記載のパネル。
【請求項２２】
前記ガラスパネルが着色されている、請求項１４に記載のパネル。
【手続補正書】
【提出日】平成24年9月14日(2012.9.14)
【手続補正１】
【補正対象書類名】特許請求の範囲
【補正対象項目名】請求項６
【補正方法】変更
【補正の内容】
【請求項６】
前記ゼオライトの前記小さなメソ孔ピークが約０．１３ｃｍ３／ｇ未満である、請求項１に記載のゼオライト。
【手続補正２】
【補正対象書類名】特許請求の範囲
【補正対象項目名】請求項３３
【補正方法】変更
【補正の内容】
【請求項３３】
前記ゼオライトの前記小さなメソ孔ピークが約０．１３ｃｍ３／ｇ未満である、請求項２９に記載の方法。
【手続補正書】
【提出日】平成24年3月29日(2012.3.29)
【手続補正１】
【補正対象書類名】特許請求の範囲
【補正対象項目名】全文
【補正方法】変更
【補正の内容】
【特許請求の範囲】
【請求項１】
流体収容パウチであって、
第１および第２の対向シートと、
前記第１の対向シートと前記第２の対向シートとの間に配置される流体と、を備え、前記第１のシートおよび前記第２のシートは、実質的に液体およびガス不透過性である周辺シールを有し、その少なくとも一部分は、約４ｍｍ未満のシール幅を有し、前記パウチは、約１０ｍｍＨｇ未満のパウチ完全性試験のΔｐＣＯ２値をもたらす、流体収容パウチ。
【請求項２】
前記第１のシートおよび前記第２のシートは、複数の屈曲を有する波状パターンで折り畳まれる、請求項１に記載の流体収容パウチ。
【請求項３】
前記第１のシートは、第１のホイル層と第１のプラスチック層とを含み、前記第２のシートは、第２のホイル層と第２のプラスチック層とを含む、請求項１に記載の流体収容パウチ。
【請求項４】
前記周辺シールの内縁に配置される、内部プラスチックシールビーズをさらに備える、請求項３に記載の流体収容パウチ。
【請求項５】
前記第１のシートは、第１のホイル層と第１のプラスチック層とを含み、前記第２のシートは、第２のホイル層と第２のプラスチック層とを含み、前記周辺シールは、前記第１のホイルと前記第２のホイルとの間に配置され、かつ前記第１および前記第２のプラスチック層の合わせた厚さ未満の平均厚を有する、第３のプラスチック層を備える、請求項３に記載の流体収容パウチ。
【請求項６】
前記第３のプラスチック層は、前記第１および前記第２のプラスチック層の合わせた厚さよりも、少なくとも約２５％薄い平均厚を有する、請求項５に記載の流体収容パウチ。
【請求項７】
前記第３のプラスチック層は、前記第１および前記第２のプラスチック層の合わせた厚さよりも、少なくとも約５０％薄い平均厚を有する、請求項５に記載の流体収容パウチ。
【請求項８】
前記第１および前記第２のホイル層は、約０．０１〜約２．０ｍｍの範囲の厚さを有する、請求項５に記載の流体収容パウチ。
【請求項９】
前記第１および前記第２のプラスチック層は、約０．００５〜約０．５ｍｍの範囲の厚さを有する、請求項５に記載の流体収容パウチ。
【請求項１０】
前記第１および前記第２のプラスチック層は、Ｐｒｉｍａｃｏｒ、ポリ塩化ビニル、ポリエチレン、ならびにニトロセルロース、尿素およびアクリル樹脂に基づくラッカーから成る群から選択される、プラスチックを備える、請求項５に記載の流体収容パウチ。
【請求項１１】
前記第１および前記第２のプラスチック層は、実質的に長方形であり、約０．５ｃｍ２〜約２０ｃｍ２の範囲の各面積を有する、請求項５に記載の流体収容パウチ。
【請求項１２】
前記周辺シールの少なくとも一部分に沿って、プラスチックビーズをさらに備える、請求項５に記載の流体収容パウチ。
【請求項１３】
前記周辺シールは、約２００℃〜約５００℃の範囲の熱を加えることによって形成される、請求項５に記載の流体収容パウチ。
【請求項１４】
前記周辺シールは、約３４．５ＭＮ／ｍ２〜約６２．１ＭＮ／ｍ２の範囲の圧力を加えることによって形成される、請求項５に記載の流体収容パウチ。
【請求項１５】
前記周辺シールは、約１ｍｍ〜約２ｃｍの周辺幅を有する、請求項５に記載の流体収容パウチ。
【請求項１６】
前記周辺シールは、約１ｃｍ〜約２０ｃｍの周長を有する、請求項５に記載の流体収容パウチ。
【請求項１７】
前記第１のシートは、第１のホイル層と第１のラッカー層とを含み、前記第２のシートは、第２のホイル層と第２のラッカー層とを含み、前記第１および第２のホイル層は、前記周辺シールにおいて相互に融合される、請求項１に記載の流体収容パウチ。
【請求項１８】
前記流体は、公知の濃度の１つもしくは複数の分析物を含有する、較正用流体である、請求項１に記載の流体収容パウチ。
【請求項１９】
前記流体は、反応物流体である、請求項１に記載の流体収容パウチ。
【請求項２０】
前記流体は、洗浄流体である、請求項１に記載の流体収容パウチ。
【請求項２１】
前記パウチは、１２％未満の破裂強度標準偏差を有する、請求項１に記載の流体収容パウチ。
【請求項２２】
前記第１のシートおよび前記第２のシートはそれぞれ、単一のプラスチックライニングホイルの対向する折り畳み部分である、請求項１に記載の流体収容パウチ。
【請求項２３】
前記第１のシートおよび前記第２のシートはそれぞれ、２つの個別のホイルである、請求項１に記載の流体収容パウチ。
【請求項２４】
前記第１のシートおよび前記第２のシートは、アルミニウムホイル、銅ホイル、および真ちゅうホイルから成る群から選択される、金属ホイルを備える、請求項１に記載の流体収容パウチ。
【請求項２５】
前記第１のシートおよび前記第２のシートは、約０．０１〜約２．０ｍｍの範囲の厚さを有するホイルを備える、請求項１に記載の流体収容パウチ。
【請求項２６】
前記パウチは、約５μＬ〜約５ｍＬのパウチ容量を有する、請求項１に記載の流体収容パウチ。
【請求項２７】
前記周辺シールは、１つもしくは複数の圧着領域を含む、請求項１に記載の流体収容パウチ。
【請求項２８】
前記１つもしくは複数の圧着領域は、複数の同心圧着環を備える、請求項２７に記載の流体収容パウチ。
【手続補正書】
【提出日】平成24年6月14日(2012.6.14)
【手続補正１】
【補正対象書類名】特許請求の範囲
【補正対象項目名】全文
【補正方法】変更
【補正の内容】
【特許請求の範囲】
【請求項１】
複数の用紙を印刷するための印刷機の印刷速度のプロファイルを用意する方法であって、
複数の用紙の印刷を規定する印刷ジョブを受理するステップと、
各用紙の印刷速度に関して前記印刷ジョブを解析するステップと、
前記印刷ジョブの用紙を印刷する前に、各用紙の印刷速度と前記印刷機の異なる印刷速度の間の変更回数との関数としての前記印刷速度のプロファイルを用意するステップと、
を有し、
前記解析するステップは、各用紙の印刷速度を前記用紙の物質特性に基づき決定することからなる方法。
【請求項２】
計算される節約時間が閾値と超える場合に限って印刷ジョブ内の前記プロファイルにおける速度変更は実行され、前記閾値を超えない場合、前記印刷ジョブ全体の印刷速度のプロファイルは、前記印刷ジョブ内の最も低い印刷速度に対応する一定の印刷速度に調整される、請求項１記載の方法。
【請求項３】
複数の用紙を印刷するための印刷機の印刷速度のプロファイルを用意する方法であって、
複数の用紙の印刷を規定する印刷ジョブを受理するステップと、
各用紙の印刷速度に関して前記印刷ジョブを解析するステップと、
前記印刷ジョブ内の最も低速な印刷速度による用紙の印刷速度を決定するステップと、
前記印刷ジョブの用紙を印刷する前に、前記印刷ジョブ内で最も低速な印刷速度に対応する一定の印刷速度により前記印刷ジョブ全体の印刷速度のプロファイルを用意するステップと、
を有し、
前記解析するステップは、各用紙の印刷速度を前記用紙の物質特性に基づき決定することからなる方法。
【手続補正書】
【提出日】平成24年9月12日(2012.9.12)
【手続補正１】
【補正対象書類名】特許請求の範囲
【補正対象項目名】全文
【補正方法】変更
【補正の内容】
【特許請求の範囲】
【請求項１】
式II：
【化１】
2012502946.tif 000001
〔式中、
ＲはＣ１−Ｃ６アルキルまたはＣ３−Ｃ６シクロアルキルであり；
Ｒ２はＣＲ２ａＲ２ｂＯＲ５またはＣＲ２ａＲ２ｂＮＲ６Ｒ７であり；
Ｒ２ａは水素、Ｃ１−Ｃ４アルキル、Ｃ１−Ｃ４ハロアルキル、またはＣ３−Ｃ６シクロアルキルであり；
Ｒ２ｂは水素またはＣ１−Ｃ４アルキルであり；
Ｒ３およびＲ５は水素またはＣ１−Ｃ４アルキルから独立して選択され；そして
Ｒ６およびＲ７は水素、Ｃ１−Ｃ４アルキル、およびＣ１−Ｃ４アルカノイルから成る群から独立して選択される。〕
の化合物またはその互変異性体、塩もしくは異性体。
【請求項２】
以下のものからなる群から選択される、請求項１に記載の化合物：
Ｎ−(１−(１−アミノシクロプロピル)−２−(ヒドロキシアミノ)−２−オキソエチル)−４−(ブト−２−イニルオキシ)ベンズアミド；
Ｎ−(３−アミノ−１−(ヒドロキシアミノ)−３−メチル−１−オキソブタン−２−イル)−４−(ブト−２−イニルオキシ)ベンズアミド；
Ｎ−(３−アミノ−１−(ヒドロキシアミノ)−３−メチル−１−オキソブタン−２−イル)−４−(４,４−ジメチルペント−２−イニルオキシ)ベンズアミド；
Ｎ−((１Ｒ,２Ｓ)−１−アミノ−１−シクロプロピル−３−(ヒドロキシアミノ)−３−オキソプロパン−２−イル)−４−(ブト−２−イニルオキシ)ベンズアミド；
Ｎ−((２Ｓ,３Ｒ)−３−アミノ−４,４,４−トリフルオロ−１−(ヒドロキシアミノ)−１−オキソブタン−２−イル)−４−(ブト−２−イニルオキシ)ベンズアミド；
Ｎ−((２Ｓ,３Ｒ)−３−アミノ−１−(ヒドロキシアミノ)−１−オキソブタン−２−イル)−４−(ブト−２−イニルオキシ)シクロヘキサンカルボキサミド；
Ｎ−(３−アミノ−１−(ヒドロキシアミノ)−３−メチル−１−オキソブタン−２−イル)−４−(４−ヒドロキシ−４−メチルペント−２−イニルオキシ)ベンズアミド；
Ｎ−((１Ｓ,２Ｒ)−２−アミノ−１−ヒドロキシカルバモイル−プロピル)−４−ブト−２−イニルオキシ−２−フルオロ−ベンズアミド；およびそのラセミ体、ジアステレオ異性体、および鏡像体；およびその塩類。
【請求項３】
請求項１または２に記載の式IIの化合物を薬学的に許容される担体と共に含む、医薬組成物。
【請求項４】
抗細菌有効量の請求項１または２に記載の化合物を第二治療剤と組み合わせて含む、組合せ剤。
【請求項５】
第二治療剤が排出ポンプ阻害剤である、請求項４に記載の組合せ剤。
【請求項６】
第二治療剤がアンピシリン、ピペラシリン、ペニシリンＧ、チカルシリン、イミペネム、メロペネム、アジスロマイシン、エリスロマイシン、アズトレオナム、セフェピム、セフォタキシム、セフトリアキソン、セフタジジム、シプロフロキサシン、レボフロキサシン、クリンダマイシン、ドキシサイクリン、ゲンタマイシン、アミカシン、トブラマイシン、テトラサイクリン、テガサイクリン(Tegacyclin)、リファンピシン、およびポリミキシンからなる群から選択される、請求項４に記載の組合せ剤。
【請求項７】
医薬として使用するための、請求項１または２に記載の式IIの化合物。
【請求項８】
請求項１または２に記載の式IIの化合物を有効成分として含む、グラム陰性細菌感染症の処置剤。
【請求項９】
グラム陰性細菌感染症が、シュードモナス、ステノトロホモナス・マルトフィリア、バークホルデリア属、アルカリゲネス・キシロソキシダンス、アシネトバクター、腸内細菌科、ヘモフィルス属、モラクセラ属、バクテロイド属、フランシセラ属(Fransicella)、赤痢菌属、プロテウス属、ビブリオ属、サルモネラ属、ボルデテラ属、ヘリコバクター属(Helicobactor)、レジオネラ属、シトロバクター属(Citrobactor)、セラチア属、カンピロバクター属(Campylobactor)、エルシニア属およびナイセリア属からなる群から選択される少なくとも１種の細菌を含む感染症である、請求項８に記載の処置剤。
【請求項１０】
細菌感染症がシュードモナス・エルギノーサ、ステノトロホモナス・マルトフィリア、バークホルデリア・セパシア、アルカリゲネス・キシロソキシダンス、アシネトバクター、腸内細菌科、ヘモフィルス属、およびナイセリア属から選択される、請求項８に記載の処置剤。
【請求項１１】
細菌感染症がセラチア属、プロテウス属、クレブシエラ属、エンテロバクター属、シトロバクター属、サルモネラ属、プロビデンシア属、モルガネラ属、セデセア属(Cedecea)、エドワージエラ属および大腸菌からなる群から選択される腸内細菌科である、請求項８に記載の処置剤。
【手続補正２】
【補正対象書類名】明細書
【補正対象項目名】０１１４
【補正方法】変更
【補正の内容】
【０１１４】
これらの製剤または組成物を製造する方法は、本発明の化合物と担体および場合により、１個以上の補助成分を結合させる工程を含む。一般に、製剤は、本発明の化合物と液体担体、または微粉砕固体担体、または両方を均一にかつ密接に結合させ、必要であれば、製品を形作ることにより製造する。
【手続補正書】
【提出日】平成24年9月18日(2012.9.18)
【手続補正１】
【補正対象書類名】特許請求の範囲
【補正対象項目名】全文
【補正方法】変更
【補正の内容】
【特許請求の範囲】
【請求項１】
投与前の患者の尿酸レベルと比較して、患者の尿酸レベルを減少させるシロ−イノシトールを含む、1以上の組織又は臓器、血液、血清、尿、又はこれらの組合せ中の患者の尿酸レベルを減少させるための医薬組成物。
【請求項２】
シロ−イノシトールが第二の治療薬剤との組み合わせである、請求項1の医薬組成物。
【請求項３】
シロ−イノシトールが単位剤形である、請求項1の医薬組成物。
【請求項４】
シロ−イノシトールの量が150 mg／日〜約7000 mg／日の範囲である、請求項1の医薬組成物。
【請求項５】
投与前の患者の尿酸レベルと比較して、患者の尿酸レベルを減少させるシロ−イノシトールを含む、尿酸の異常レベルに関連した症状に罹患している患者を治療するための医薬組成物。
【請求項６】
症状が、痛風；再発性痛風発作；痛風結節；痛風性関節炎；痛風性腎症；子癇；アテローム性動脈硬化症；細動脈硬化症；代謝症候群；血球の加速形成及び破壊を伴う疾患；高尿酸血症；真正赤血球増加症、骨髄性異形成、又は血液疾患の慢性高尿酸血症；高血圧症；心臓血管系疾患；冠動脈性心疾患；腎症状及び痛風様症状の程度までのレッシュ−ナイハン又はケリー−シーグラー症候群；腎疾患；腎結石；腎不全；急性腎不全；関節炎症；関節炎；尿路結石症；尿酸結石症；代謝症候群；鉛中毒；上皮小体機能亢進症；乾癬；及びサルコイドーシスより選択される、請求項5の医薬組成物。
【請求項７】
投与前の患者の尿酸レベルと比較して、患者の尿酸レベルを減少させるシロ−イノシトールを含む、患者の高尿酸血症を治療する医薬組成物。
【請求項８】
血清中で測定する場合に、投与前の尿酸レベルが約360μM以上である、請求項7の医薬組成物。
【請求項９】
症状が、アテローム性動脈硬化症；細動脈硬化症；代謝症候群；高血圧症；心臓血管系疾患；冠動脈性心疾患；尿路結石症；及び尿酸結石症より選択される、請求項7の医薬組成物。
【請求項１０】
シロ−イノシトールの量が約150 mg／日〜約7000 mg／日の範囲である、請求項7の医薬組成物。
【請求項１１】
シロ−イノシトールが単位剤形である、請求項7の医薬組成物。
【請求項１２】
単位剤形が、即時放出剤形及び延長放出剤形より選択される、請求項11の医薬組成物。
【請求項１３】
単位剤形が、150 mg、250 mg、500 mg、750 mg、800 mg、1000 mg、又は2000 mgのシロ−イノシトールを含む、請求項11の医薬組成物。
【請求項１４】
投与前の患者の尿酸レベルと比較して、患者の尿酸レベルを減少させるシロ−イノシトールを含む、患者の痛風を治療するための医薬組成物。
【請求項１５】
シロ−イノシトールの量が約150 mg／日〜約7000 mg／日の範囲である、請求項14の医薬組成物。
【請求項１６】
シロ−イノシトールが単位剤形である、請求項14の医薬組成物。
【請求項１７】
単位剤形が、即時放出剤形及び延長放出剤形より選択される、請求項16の医薬組成物。
【請求項１８】
単位剤形が、150 mg、250 mg、500 mg、750 mg、800 mg、1000 mg、又は2000 mgのシロ−イノシトールを含む、請求項16の医薬組成物。
【請求項１９】
投与前の患者の尿酸レベルと比較して、患者の尿酸レベルを減少させるシロ−イノシトールを含む、患者の高尿酸血症を危険因子として有する病態を治療するための医薬組成物。
【請求項２０】
病態が、アテローム性動脈硬化症、細動脈硬化症、腎疾患、心臓血管系疾患、代謝症候群、尿酸結石症、及び高血圧症より選択される、請求項19の医薬組成物。
【請求項２１】
シロ−イノシトールの量が約150mg／日〜約7000 mg／日の範囲である、請求項19の医薬組成物。
【請求項２２】
シロ−イノシトールが単位剤形である、請求項19の医薬組成物。
【請求項２３】
単位剤形が、即時放出剤形及び延長放出剤形より選択される、請求項22の医薬組成物。
【請求項２４】
単位剤形が、150 mg、250 mg、500 mg、750 mg、800 mg、1000 mg、又は2000 mgのシロ−イノシトールを含む、請求項22の医薬組成物。
【請求項２５】
哺乳動物の血中尿酸レベルをベースラインレベルと比較して低下させるのに有効な量のシロ−イノシトールと、担体、賦形剤、及びビヒクルより選択される少なくとも1つの医薬的に許容される成分を含む医薬組成物。
【請求項２６】
1以上の組織又は臓器、血液、血清、尿、又はこれらの組合せ中の尿酸レベルを減少させるか又は尿酸の異常レベルに関連した症状を治療するための医薬品の製造におけるシロ−イノシトールの使用。
【請求項２７】
哺乳動物の血中尿酸レベルをベースラインレベルと比較して低下させるのに有効な量のシロ−イノシトールと、担体、賦形剤、及びビヒクルより選択される少なくとも1つの医薬的に許容される成分を含む医薬組成物を含む第一の容器を含むキット。
【請求項２８】
第二の治療薬剤を含む第二の容器をさらに含む、請求項27のキット。
【手続補正書】
【提出日】平成24年9月13日(2012.9.13)
【手続補正１】
【補正対象書類名】特許請求の範囲
【補正対象項目名】全文
【補正方法】変更
【補正の内容】
【特許請求の範囲】
【請求項１】
てんかん及びてんかん症候群からなる群より選択される疾患を、その軽減が必要な患者において治療する方法であって、１つ以上のジメボリンの治療有効量又はその薬学的に許容される塩を患者に投与する工程を含む方法。
【手続補正書】
【提出日】平成24年9月12日(2012.9.12)
【手続補正１】
【補正対象書類名】特許請求の範囲
【補正対象項目名】全文
【補正方法】変更
【補正の内容】
【特許請求の範囲】
【請求項１】
昆虫以外およびヒト以外の動物の健康を向上させる方法であって、バチルス・ズブチリスＱＳＴ７１３（NRRL accession number: B21661）、またはバチルス・ズブチリスＱＳＴ７１３の変異体であって、バチルス・ズブチリスＱＳＴ７１３の同定特性をすべて有する変異体、を含む組成物を、前記昆虫以外およびヒト以外の動物に投与することを含む方法。
【請求項２】
前記組成物が、前記バチルス・ズブチリスＱＳＴ７１３を含む、請求項１に記載の方法。
【請求項３】
前記組成物が、成長成績を改善するのに有効な量で家畜に投与される、請求項１に記載の方法。
【請求項４】
前記量が、前記昆虫以外およびヒト以外の動物の飼料利用効率を向上させるのに有効な量か、
前記昆虫以外およびヒト以外の動物の生存率を向上させるのに有効な量か、
前記昆虫以外およびヒト以外の動物の体重増加を向上させるのに有効な量である、請求項３に記載の方法。
【請求項５】
前記組成物が、健康な腸内微生物叢を維持するのに有効な量で投与される、請求項１に記載の方法。
【請求項６】
前記組成物が、前記昆虫以外およびヒト以外の動物において、クロストリジウム属種、カンピロバクター属種、リステリア属種、及び大腸菌からなる群より選択される病原性細菌の増殖を低下させるのに有効な量で投与される、請求項１に記載の方法。
【請求項７】
前記昆虫以外およびヒト以外の動物が、ブロイラー鶏、及び卵用ニワトリからなる群より選択される家禽である、請求項３に記載の方法。
【請求項８】
前記動物がブタ、反芻動物、及び複胃未発達動物からなる群より選択される、請求項３に記載の方法。
【請求項９】
前記組成物が担体をさらに含む、請求項１に記載の方法。
【請求項１０】
前記組成物が、飼料炭水化物及び飼料タンパク質からなる群より選択される少なくとも１つの動物用飼料原料を含む動物用飼料と共に投与される、請求項１に記載の方法。
【請求項１１】
前記組成物が飲料水をさらに含む、請求項１に記載の方法。
【請求項１２】
前記組成物が、前記動物用飼料１グラム当たりバチルス・ズブチリスＱＳＴ７１３約１×１０３ＣＦＵから、前記動物用飼料１グラム当たりバチルス・ズブチリスＱＳＴ７１３約１×１０１０ＣＦＵの比率で投与される、請求項１０に記載の方法。
【請求項１３】
昆虫以外およびヒト以外の動物の健康を向上させるための組成物であって、バチルス・ズブチリスＱＳＴ７１３（NRRL accession number: B21661）、またはバチルス・ズブチリスＱＳＴ７１３の変異体であって、バチルス・ズブチリスＱＳＴ７１３の同定特性をすべて有する変異体、を含む組成物。
【請求項１４】
（ｉ）昆虫以外およびヒト以外の動物の成長成績を改善するのに有効な量の、バチルス・ズブチリスＱＳＴ７１３（NRRL accession number: B21661）、またはバチルス・ズブチリスＱＳＴ７１３の変異体であって、バチルス・ズブチリスＱＳＴ７１３の同定特性をすべて有する変異体、及び
（ｉｉ）飼料炭水化物及び飼料タンパク質からなる群より選択される少なくとも１つの動物用飼料原料を含む動物用飼料
を含む組成物。
【請求項１５】
前記バチルス・ズブチリスＱＳＴ７１３の有効量が、動物用飼料１グラム当たり約１×１０３ＣＦＵから、動物用飼料１グラム当たり約１×１０１０ＣＦＵである、請求項１４に記載の組成物。
【請求項１６】
（ｉ）昆虫以外およびヒト以外の動物の成長成績を改善するのに有効な量の、バチルス・ズブチリスＱＳＴ７１３（NRRL accession number: B21661）、またはバチルス・ズブチリスＱＳＴ７１３の変異体であって、バチルス・ズブチリスＱＳＴ７１３の同定特性をすべて有する変異体、及び
（ｉｉ）プロバイオティクス微生物、消化を助ける酵素、免疫調節物質、インターロイキン、インターフェロン、及びオリゴ糖からなる群より選択される少なくとも１つの成分
を含む組成物。